(57)【特許請求の範囲】
【請求項１】
枠体の内側空間に、緑化植物が生長できる状態で支持された植物支持パネルを取り付けた緑化パネル体を、建物の居室との仕切壁面に沿って外側に張り出した張出床部の外側辺に設けられた落下防止柵より上記居室との仕切壁面側に寄った位置にて該仕切壁面に平行に設け、上記緑化パネル体の縦軸を中心にして該緑化パネル体を所定角度まで位置変更可能とすると共に、上記枠体の上部に設けられた駆動軸及び上記枠体の下部に設けられた支持回転軸により該緑化パネル体を所定角度まで回動可能とし、上記枠体の外側に上記緑化パネル体の回動を行うための動力源を設け、該動力源の駆動力を上記駆動軸に伝達して上記動力源の駆動により該緑化パネル体を回動させるようにしたことを特徴とする建物緑化構造体。
【請求項２】
枠体の内側空間に、緑化植物が生長できる状態で支持された植物支持パネルを取り付けた複数枚の緑化パネル体を、建物の居室との仕切壁面に沿って外側に張り出した張出床部の外側辺に設けられた落下防止柵より上記居室との仕切壁面側に寄った位置で前後に隙間をあけて前後２列以上に配列して該仕切壁面に平行に設け、前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記枠体の外側に上記緑化パネル体のスライドを行うための動力源を設け、該動力源の駆動力を上記ハンガーレールに伝達して上記動力源の駆動により該緑化パネル体をスライドさせるようにしたことを特徴とする建物緑化構造体。
【請求項３】
上記緑化パネル体は、枠体と、緑化植物を支持するためのメッシュ状支持部材と、このメッシュ状支持部材の下部に配置され緑化植物を生長させるための植栽容器とを備えて成り、上記張出床部に対して着脱可能とされたことを特徴とする請求項１又は２に記載の建物緑化構造体。
【請求項４】
上記建物の居室との仕切壁面に、上記張出床部と居室との間で空気を換気する換気手段を設けたことを特徴とする請求項１〜３のいずれか１項に記載の建物緑化構造体。
【請求項５】
居室との仕切壁面に沿って外側に張り出した張出床部の外側辺に上記仕切壁面に対向して、一部に窓が備えられた外壁を設けてダブルスキン構造とされた建物において、
枠体の内側空間に、緑化植物が生長できる状態で支持された植物支持パネルを取り付けた緑化パネル体を、上記外壁より居室との仕切壁面側に寄った位置にて該仕切壁面に平行に設け、上記緑化パネル体の縦軸を中心にして該緑化パネル体を所定角度まで位置変更可能とすると共に、上記枠体の上部に設けられた駆動軸及び上記枠体の下部に設けられた支持回転軸により該緑化パネル体を所定角度まで回動可能とし、上記枠体の外側に上記緑化パネル体の回動を行うための動力源を設け、該動力源の駆動力を上記駆動軸に伝達して上記動力源の駆動により該緑化パネル体を回動させるようにしたことを特徴とする建物緑化システム。
【請求項６】
居室との仕切壁面に沿って外側に張り出した張出床部の外側辺に上記仕切壁面に対向して、一部に窓が備えられた外壁を設けてダブルスキン構造とされた建物において、
枠体の内側空間に、緑化植物が生長できる状態で支持された植物支持パネルを取り付けた複数枚の緑化パネル体を、上記外壁より居室との仕切壁面側に寄った位置で前後に隙間をあけて前後２列以上に配列して該仕切壁面に平行に設け、前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記枠体の外側に上記緑化パネル体のスライドを行うための動力源を設け、該動力源の駆動力を上記ハンガーレールに伝達して上記動力源の駆動により該緑化パネル体をスライドさせるようにしたことを特徴とする建物緑化システム。
【請求項７】
上記緑化パネル体は、枠体と、緑化植物を支持するためのメッシュ状支持部材と、このメッシュ状支持部材の下部に配置され緑化植物を生長させるための植栽容器とを備えて成り、上記張出床部に対して着脱可能とされたことを特徴とする請求項５又は６に記載の建物緑化システム。
【請求項８】
上記居室との仕切壁面に、上記張出床部と居室との間で空気を換気する換気手段を設けたことを特徴とする請求項５〜７のいずれか１項に記載の建物緑化システム。
【発明の詳細な説明】
【技術分野】
【０００１】
本発明は、つる性植物等を利用して建築物の修景及び熱負荷の低減を図る建物緑化構造体に関し、詳しくは、緑化植物が生長できる状態で支持された緑化パネル体を建物の張出床部にて動力源の駆動で所定角度まで位置変更又は横にスライド可能とし、緑化植物に対する水やり等の管理や、枝葉の切除等の手入れなどを可能としたり、建物の居室との間で空気を換気する建物緑化構造体及びそれを利用した建物緑化システムに係るものである。
【背景技術】
【０００２】
従来のこの種の建物緑化構造体としては、本出願人により提案され、既に特許を取得したものがある（特許第４４５６５４９号）。この建物緑化構造体は、枠体の内側空間に、緑化植物が生長できる状態で支持された植物支持パネルを取り付けた緑化パネル体を、建物の壁面に沿って外側に張り出した張出床部の外側辺に設けられた落下防止柵より建物の壁面側に寄った位置にて該壁面に略平行に設け、上記緑化パネル体の縦軸を中心にして該緑化パネル体を上記張出床部の内側に向けて所定角度まで位置変更可能としたり、上記壁面に略平行にスライド可能としていた（例えば、特許文献１参照）。
【０００３】
また、建物内で植物を生育させるものとして、窓が設けられた建物の外壁の少なくとも一部と、前記建物の内部に前記外壁に対向して設置された仕切り部とにより仕切られた空間に設けられた植物の栽培室と、前記栽培室と前記仕切り部を介して隣り合う居室と、前記栽培室の温度と前記居室の温度とをそれぞれ測定する手段と、前記測定された前記栽培室と前記居室とのそれぞれの温度に応じて、前記栽培室と前記居室の間で空気を換気する換気手段と、を含む建物内植物生育システムがある（例えば、特許文献２参照）。
【先行技術文献】
【特許文献】
【０００４】
【特許文献１】特許第４４５６５４９号公報
【特許文献２】特許第５１１３５９５号公報
【発明の概要】
【発明が解決しようとする課題】
【０００５】
しかし、特許文献１に記載の建物緑化構造体は、緑化パネル体を上記張出床部の内側に向けて所定角度まで位置変更したり、上記壁面に略平行にスライドするのを、住人又は作業員が手動で操作しなければならなかった。例えば、集合住宅（マンション）のように住戸ごとに区画されている張出床部（ベランダ）に、従来の建物緑化構造体を設置した場合は、住人は緑化パネル体を回動又はスライドさせるために張出床部にいちいち出て手動で操作しなければならず、夏季又は冬季のように厳しい季節においてはつらい作業であった。また、業務用の事務所ビルの各張出床部（ベランダ）に、従来の建物緑化構造体を設置した場合は、作業員は緑化パネル体を回動又はスライドさせるために、各区画の張出床部にそれぞれ出て手動で操作しなければならず、特に事務所ビル全体を緑化構造としたときは各区画の張出床部に設置された緑化パネル体を操作するのに、重労働を要するものであった。
【０００６】
また、特許文献２に記載の建物内植物生育システムは、建物の外壁に対向する仕切り部を建物内部に設けて二重構造にしたダブルスキン構造の建物において、上記外壁と仕切り部とにより仕切られた空間に設けられた植物の栽培室に、枝葉が面状に繁茂しないような樹木のような植物を生育させるようなものであり、例えばつる性植物等を利用して建築物の修景及び熱負荷の低減を図ることはできない。したがって、少ない設置面積で面状に緑化することができないため、植物の葉っぱの蒸散作用（植物の葉っぱが光を感じてその裏側の気孔を開き、根から吸い上げた水分を上記気孔から蒸発させる作用。植物の葉っぱ自身を暑さから守ると共に、周囲の空気を冷やす作用がある。）により温度低下した空気帯をある範囲で生じさせることは期待できないものであった。
【０００７】
そこで、このような問題点に対処し、本発明が解決しようとする課題は、緑化植物が生長できる状態で支持された緑化パネル体を建物の張出床部にて動力源の駆動で所定角度まで位置変更又は横にスライド可能とし、緑化植物に対する水やり等の管理や、枝葉の切除等の手入れなどを可能としたり、建物の居室との間で空気を換気する建物緑化構造体及びそれを利用した建物緑化システムを提供することにある。
【課題を解決するための手段】
【０００８】
上記課題を解決するために、第１の発明による建物緑化構造体は、枠体の内側空間に、緑化植物が生長できる状態で支持された植物支持パネルを取り付けた緑化パネル体を、建物の居室との仕切壁面に沿って外側に張り出した張出床部の外側辺に設けられた落下防止柵より上記居室との仕切壁面側に寄った位置にて該仕切壁面に平行に設け、上記緑化パネル体の縦軸を中心にして該緑化パネル体を所定角度まで位置変更可能とすると共に、上記枠体の上部に設けられた駆動軸及び上記枠体の下部に設けられた支持回転軸により該緑化パネル体を所定角度まで回動可能とし、上記枠体の外側に上記緑化パネル体の回動を行うための動力源を設け、該動力源の駆動力を上記駆動軸に伝達して上記動力源の駆動により該緑化パネル体を回動させるようにしたものである。
【０００９】
第２の発明による建物緑化構造体は、枠体の内側空間に、緑化植物が生長できる状態で支持された植物支持パネルを取り付けた複数枚の緑化パネル体を、建物の居室との仕切壁面に沿って外側に張り出した張出床部の外側辺に設けられた落下防止柵より上記居室との仕切壁面側に寄った位置で前後に隙間をあけて前後２列以上に配列して該仕切壁面に平行に設け、前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記枠体の外側に上記緑化パネル体のスライドを行うための動力源を設け、該動力源の駆動力を上記ハンガーレールに伝達して上記動力源の駆動により該緑化パネル体をスライドさせるようにしたものである。
【００１０】
また、第３の発明による建物緑化システムは、居室との仕切壁面に沿って外側に張り出した張出床部の外側辺に上記仕切壁面に対向して、一部に窓が備えられた外壁を設けてダブルスキン構造とされた建物において、枠体の内側空間に、緑化植物が生長できる状態で支持された植物支持パネルを取り付けた緑化パネル体を、上記外壁より居室との仕切壁面側に寄った位置にて該仕切壁面に平行に設け、上記緑化パネル体の縦軸を中心にして該緑化パネル体を所定角度まで位置変更可能とすると共に、上記枠体の上部に設けられた駆動軸及び上記枠体の下部に設けられた支持回転軸により該緑化パネル体を所定角度まで回動可能とし、上記枠体の外側に上記緑化パネル体の回動を行うための動力源を設け、該動力源の駆動力を上記駆動軸に伝達して上記動力源の駆動により該緑化パネル体を回動させるようにしたものである。
【００１１】
第４の発明による建物緑化システムは、居室との仕切壁面に沿って外側に張り出した張出床部の外側辺に上記仕切壁面に対向して、一部に窓が備えられた外壁を設けてダブルスキン構造とされた建物において、枠体の内側空間に、緑化植物が生長できる状態で支持された植物支持パネルを取り付けた複数枚の緑化パネル体を、上記外壁より居室との仕切壁面側に寄った位置で前後に隙間をあけて前後２列以上に配列して該仕切壁面に平行に設け、前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記枠体の外側に上記緑化パネル体のスライドを行うための動力源を設け、該動力源の駆動力を上記ハンガーレールに伝達して上記動力源の駆動により該緑化パネル体をスライドさせるようにしたものである。
【発明の効果】
【００１２】
請求項１に係る発明によれば、建物の居室との仕切壁面に沿って外側に張り出した張出床部の外側辺に設けられた落下防止柵より上記居室との仕切壁面側に寄った位置にて該仕切壁面に平行に設けられた緑化パネル体を、その縦軸を中心にして所定角度まで位置変更可能とすると共に、上記枠体の上部に設けられた駆動軸及び上記枠体の下部に設けられた支持回転軸により該緑化パネル体を所定角度まで回動可能とし、上記緑化パネル体の枠体の外側に設けられた動力源の駆動力を上記駆動軸に伝達して上記動力源の駆動により、該緑化パネル体を回動させてその位置変更を行うことができる。これにより、緑化植物が生長できる状態で支持された緑化パネル体を建物の張出床部にて所定角度まで位置変更するのを動力源の駆動で行うことができ、住人又は作業員が手動で操作する必要がなくなる。また、緑化植物に対する水やり等の管理や、枝葉の切除等の手入れなどを可能とする。したがって、上記動力源の駆動を例えば居室内からスイッチ操作により行って、夏季又は冬季のように厳しい季節においても緑化パネル体を容易に位置変更することができる。また、業務用の事務所ビルの各張出床部（ベランダ）に本発明の建物緑化構造体を設置した場合は、作業員が緑化パネル体を所定角度まで位置変更するのに、上記動力源の駆動を例えば管理室からスイッチ操作により行うことで、事務所ビル全体の各区画の張出床部に設置された緑化パネル体を容易に操作することができる。さらに、上記緑化パネル体を居室との仕切壁面に平行に設けることで、枝葉が面状に繁茂した緑化パネル体の植物の葉っぱの蒸散作用により温度低下した空気帯をある範囲で生じさせることができる。
【００１３】
請求項２に係る発明によれば、建物の居室との仕切壁面に沿って外側に張り出した張出床部の外側辺に設けられた落下防止柵より上記居室との仕切壁面側に寄った位置で前後に隙間をあけて前後２列以上に配列して該仕切壁面に平行に設けられた複数枚の緑化パネル体を、前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記緑化パネル体の枠体の外側に設けられた動力源の駆動力を上記ハンガーレールに伝達して上記動力源の駆動により、該緑化パネル体をスライドさせることができる。これにより、緑化植物が生長できる状態で支持された緑化パネル体を建物の張出床部にてスライドさせるのを動力源の駆動で行うことができ、住人又は作業員が手動で操作する必要がなくなる。また、緑化植物に対する水やり等の管理や、枝葉の切除等の手入れなどを可能とする。したがって、上記動力源の駆動を例えば居室内からスイッチ操作により行って、夏季又は冬季のように厳しい季節においても緑化パネル体を容易にスライドすることができる。また、業務用の事務所ビルの各張出床部（ベランダ）に本発明の建物緑化構造体を設置した場合は、作業員が緑化パネル体をスライドするのに、上記動力源の駆動を例えば管理室からスイッチ操作により行うことで、事務所ビル全体の各区画の張出床部に設置された緑化パネル体を容易に操作することができる。さらに、上記緑化パネル体を居室との仕切壁面に平行に設けることで、枝葉が面状に繁茂した緑化パネル体の植物の葉っぱの蒸散作用により温度低下した空気帯をある範囲で生じさせることができる。
【００１４】
また、請求項５に係る発明によれば、居室との仕切壁面に沿って外側に張り出した張出床部の外側辺に上記仕切壁面に対向して、一部に窓が備えられた外壁を設けてダブルスキン構造とされた建物において、上記外壁より居室との仕切壁面側に寄った位置にて該仕切壁面に平行に設けられた緑化パネル体を、その縦軸を中心にして所定角度まで位置変更可能とすると共に、上記枠体の上部に設けられた駆動軸及び上記枠体の下部に設けられた支持回転軸により該緑化パネル体を所定角度まで回動可能とし、上記緑化パネル体の枠体の外側に設けられた動力源の駆動力を上記駆動軸に伝達して上記動力源の駆動により、該緑化パネル体を回動させてその位置変更を行うことができる。これにより、緑化植物が生長できる状態で支持された緑化パネル体を建物の張出床部にて所定角度まで位置変更するのを動力源の駆動で行うことができ、住人又は作業員が手動で操作する必要がなくなる。また、緑化植物に対する水やり等の管理や、枝葉の切除等の手入れなどを可能とする。したがって、上記動力源の駆動を例えば居室内からスイッチ操作により行って、夏季又は冬季のように厳しい季節においても緑化パネル体を容易に位置変更することができる。また、業務用の事務所ビルの各張出床部（ベランダ）に本発明の建物緑化システムを設置した場合は、作業員が緑化パネル体を所定角度まで位置変更するのに、上記動力源の駆動を例えば管理室からスイッチ操作により行うことで、事務所ビル全体を緑化構造としたときでも各区画の張出床部に設置された緑化パネル体を容易に操作することができる。この場合、ダブルスキン構造の建物においては、上記外壁と仕切壁面とにより仕切られた空間に例えばつる性植物等の緑化植物を少ない設置面積で面状に繁茂させることができ、緑化パネル体の植物の葉っぱの蒸散作用により温度低下した空気帯をある範囲で生じさせることができる。
【００１５】
更に、請求項６に係る発明によれば、居室との仕切壁面に沿って外側に張り出した張出床部の外側辺に上記仕切壁面に対向して、一部に窓が備えられた外壁を設けてダブルスキン構造とされた建物において、上記外壁より居室との仕切壁面側に寄った位置で前後に隙間をあけて前後２列以上の緑化パネル体の何れかの列を固定し、それ以外の列の緑化パネル体を上記枠体の上方にて上階の張出床部の下面に設けられた下がり壁の下側に取り付けたハンガーレールと下階の張出床部の上面に設置されたガイドレールとの間で前記仕切壁面に平行にスライド可能とし、上記ハンガーレールの上面に上記緑化パネル体の枠体の上部に設けた吊車を回転可能に載せ、上記ガイドレールの溝に上記枠体の下部に設けた支持軸を嵌合し、上記緑化パネル体の枠体の外側に設けられた動力源の駆動力を上記ハンガーレールに伝達して上記動力源の駆動により、該緑化パネル体をスライドさせることができる。これにより、緑化植物が生長できる状態で支持された緑化パネル体を建物の張出床部にてスライドさせるのを動力源の駆動で行うことができ、住人又は作業員が手動で操作する必要がなくなる。また、緑化植物に対する水やり等の管理や、枝葉の切除等の手入れなどを可能とする。したがって、上記動力源の駆動を例えば居室内からスイッチ操作により行って、夏季又は冬季のように厳しい季節においても緑化パネル体を容易にスライドすることができる。また、業務用の事務所ビルの各張出床部（ベランダ）に本発明の建物緑化システムを設置した場合は、作業員が緑化パネル体をスライドするのに、上記動力源の駆動を例えば管理室からスイッチ操作により行うことで、事務所ビル全体を緑化構造としたときでも各区画の張出床部に設置された緑化パネル体を容易に操作することができる。この場合、ダブルスキン構造の建物においては、上記外壁と仕切壁面とにより仕切られた空間に例えばつる性植物等の緑化植物を少ない設置面積で面状に繁茂させることができ、緑化パネル体の植物の葉っぱの蒸散作用により温度低下した空気帯をある範囲で生じさせることができる。
【図面の簡単な説明】
【００１６】
【図１】建物緑化構造体の第１の実施形態を示す右側断面図である。
【図２】上記第１の実施形態の建物緑化構造体を示す平面図である。
【図３】上記第１の実施形態の建物緑化構造体を示す正面図である。
【図４】上記第１の実施形態の緑化パネル体の取り付けを示す部分拡大右側断面図である。
【図５】建物緑化構造体の第２の実施形態を示す右側断面図である。
【図６】上記第２の実施形態の建物緑化構造体を示す平面図である。
【図７】上記第２の実施形態の緑化パネル体の取り付けを示す部分拡大右側断面図である。
【図８】上記第２の実施形態の緑化パネル体の取り付けを示す正面図である。
【図９】建物緑化システムの第１の実施形態を示す右側断面図である。
【図１０】上記第１の実施形態の建物緑化システムを示す平面図である。
【図１１】建物緑化システムの第２の実施形態を示す右側断面図である。
【図１２】上記第２の実施形態の建物緑化システムを示す平面図である。
【発明を実施するための形態】
【００１７】
以下、本発明の実施形態を添付図面に基づいて説明する。
図１は建物緑化構造体の第１の実施形態を示す右側断面図であり、図２は上記第１の実施形態の建物緑化構造体を示す平面図であり、図３は上記第１の実施形態の建物緑化構造体を示す正面図である。この建物緑化構造体は、例えばつる性植物等を利用して建築物の修景及び熱負荷の低減を図るもので、緑化パネル体１を、建物の居室２との仕切壁面３に沿って外側に張り出した張出床部４の外側辺に設けられた落下防止柵５より上記居室２との仕切壁面３側に寄った位置（以下、本書において「外側辺近傍」という）にて該仕切壁面３に略平行に設けている。
【００１８】
上記緑化パネル体１は、張出床部４の上に緑化植物が生長できる状態で垂直状態に立てて支持するもので、枠体６と、メッシュ状支持部材７と、植栽容器８とを備えて成る。上記枠体６は、メッシュ状支持部材７を支持する枠部材となるもので、図３に示すように、内側に縦長の空間を有し、例えば金属製の角形鋼管等で矩形状枠に形成されている。
【００１９】
上記枠体６の内側空間には、メッシュ状支持部材７が取り付けられている。このメッシュ状支持部材７は、例えばつる性植物等の緑化植物を実際に支持するもので、適宜の大きさの網目を有する金網等から成る。図１〜図３の実施形態では、このメッシュ状支持部材７は、上記枠体６の内側空間に固定状態で取り付けられている。
【００２０】
上記メッシュ状支持部材７の下部には、図１及び図３に示すように、植栽容器８が配置されている。この植栽容器８は、つる性植物等の緑化植物を生長させるためのもので、例えばプラスチック、金属等で上記枠体６の内側空間の下部に嵌る大きさの箱状に形成されている。上記植栽容器８の内部には、土壌や培養土が入れられて緑化植物１０が植え付けられている。なお、上記メッシュ状支持部材７と植栽容器８とで、緑化植物１０が生長できる状態で支持する植物支持パネルを構成している。また、上記枠体６の内側空間の下部には、上面が開口した箱状の収納ボックス９が設けられており、この収納ボックス９の内部に上記植栽容器８が収容されるようになっている。そして、上記緑化パネル体１の全体は、張出床部４に対して着脱可能とされている。緑化パネル体１の全体を着脱可能とすることで、生育環境の良い生産農場において緑化パネル体１の緑化植物１０を繁茂させた状態とし、その後、設置すべき建物の張出床部４に搬送して設置することにより、短期間で建物全体の緑化が実現できる。
【００２１】
上記緑化パネル体１は、図２及び図３に示すように、建物の張出床部（例えばビルのベランダなど）４に設置された支柱１１を用いて直立して設けられている。この支柱１１は、建物の居室２との仕切壁面３に沿って外側に張り出した張出床部４の外側辺近傍に上下方向に設置されており、図３に示すように、例えば２個の緑化パネル体１の横幅が入り得る間隔をあけて複数個並べて設けられている。具体的には、上記張出床部４において、下階張出床部４ａと上階張出床部４ｂ（図１参照）との間に垂直状態に設けられている。
【００２２】
ここで、図３において、代表的に一番右側の緑化パネル体１の取り付け状態について、図１及び図４を参照して説明する。まず、一番右側に位置する支柱１１と真中の支柱１１との間に２個の緑化パネル体１が配置されるようになっており、上記支柱１１，１１間には、上階張出床部４ｂの下面から適宜の長さで下がり壁１２が下向きに張り出しており、その下がり壁１２と対向する下階張出床部４ａの上面には下枠１３が設置されている。そして、上記下がり壁１２と下枠１３との間に、緑化パネル体１がその縦軸を中心にして所定角度（例えば９０度）まで位置変更可能に回動するように取り付けられている。具体的には、図３に示すように、１個１個の緑化パネル体１の横幅の真中位置にて、枠上部には駆動軸１４が設けられ、枠下部には支持回転軸１５が下向きに設けられて、この駆動軸１４と支持回転軸１５とを結ぶ線を縦軸としてこの縦軸を中心にして回動可能とされている。
【００２３】
この場合、本発明においては、上記枠体６の外側に上記緑化パネル体１の位置変更を行うための動力源１６を設け、この動力源１６の駆動により該緑化パネル体１を回動させるようになっている。すなわち、図４に示すように、下がり壁１２の内部に動力源１６が内蔵状態で組み込まれており、この動力源１６から下向きに突出した回転軸に軸継手１７及びスラストベアリング１８を介して駆動軸１４としての吊下げボルトが接続されており、この吊下げボルト（１４）が上記枠体６の枠上部に固定されている。また、上記枠体６の枠下部に設けられた支持回転軸１５が下枠１３の係合孔に回転可能に嵌合されている。このような状態で、上記緑化パネル体１は、下がり壁１２と下枠１３との間で、図２に示すように、建物の居室２との仕切壁面３に略平行に設けられると共に、動力源１６の駆動により回動されるようになっている。
【００２４】
なお、上記動力源１６は、回転駆動力を発生させるものであるならば、電気駆動、空気圧駆動又は油圧駆動等の何れであってもよい。また、図２において、符号１６ｓは上記動力源１６を駆動させるためのスイッチを示しており、例えば居室２内又は管理室内に設けられたスイッチ１６ｓを住人又は作業員がON，OFF操作することにより、上記緑化パネル体１を回動させて、開いたり閉じたりすることができる。
【００２５】
また、図１〜図３に示すように、建物の居室２との仕切壁面３には、上記張出床部４と居室２との間で空気を換気する換気手段１９を設けてもよい。この換気手段１９は、例えば夏季において、居室２との仕切壁面３に略平行に位置する緑化パネル体１の緑化植物１０の存在による蒸散作用により張出床部４の領域Ｂで冷えた空気を居室２内に流入させるようにするもので、換気用ダンパーや換気扇等の給排気装置を用いればよい。上記換気手段１９は、図１に示すように、仕切壁面３の上部及び下部の両方に設けてもよいし、何れか一方に設けてもよい。また、図２に示す平面図にて、居室２の両サイドに設けてもよいし、何れか一方に設けてもよい。なお、冬季においては、上記緑化パネル体１を回動して仕切壁面３に略直角状態とし、太陽で暖められた空気を換気手段１９により居室２内に取り込むようにしてもよい。
【００２６】
なお、図１において、符号２０は緑化植物１０が植え付けられた植栽容器８に水を供給する水分供給管を示し、符号２１は上記植栽容器８に液体肥料等を供給する養分供給管を示している。
【００２７】
このような緑化パネル体１の取り付け状態により、例えば図２に示す居室２内の住人がスイッチ１６ｓをON操作することにより、図３に示すように今まで仕切壁面３に略平行状態に位置して閉じられていた各緑化パネル体１を、図２に示すように回動して開くことができる。このとき、動力源１６の回転軸の回転により、駆動軸１４と支持回転軸１５とを結ぶ縦軸を中心にして所定角度（例えば９０度）まで回動する。また、スイッチ１６ｓをOFF操作することにより、動力源１６の回転軸の回転により、図３に示すように各緑化パネル体１を閉じることができる。
【００２８】
上記のように、動力源１６のスイッチ１６ｓをON，OFF操作することにより、緑化パネル体１を回動させて、開いたり閉じたりすることができるので、上記緑化パネル体１を張出床部４において所定角度まで位置変更することで、張出床部４や居室２に対する太陽の日射調節を可能とすることができる。したがって、夏季においては、緑化パネル体１を閉じて、緑化植物１０の蒸散作用により張出床部４の領域Ｂで冷えた空気を居室２内に流入させることができる。また、冬季においては、上記緑化パネル体１を回動して開き、太陽で暖められた空気を居室２内に取り込むことができる。
【００２９】
上記動力源１６の駆動により緑化パネル体１を回動（位置変更）させる作動パターンとしては、以下のようなものがある。
（１）スイッチ１６ｓのON，OFF操作により、個々の緑化パネル体１を１枚ずつ作動させる（一般の集合住宅向き）。
（２）スイッチ１６ｓのON，OFF操作により、複数枚の緑化パネル体１を同時に作動させる（一般の集合住宅又は業務用の事務所ビル向き）。
（３）スイッチ１６ｓのON，OFF操作により、建物のフロアー毎に複数枚の緑化パネル体１を同時に作動させる（業務用の事務所ビル向き）。
（４）スイッチ１６ｓのON，OFF操作により、全面に緑化パネル体１が設置された建物の方位に応じて、南向き又は西向きなどの方位に合わせて全面の緑化パネル体１を同時に作動させる（業務用の事務所ビル向き）。
【００３０】
図５は建物緑化構造体の第２の実施形態を示す右側断面図であり、図６は上記第２の実施形態の建物緑化構造体を示す平面図である。この実施形態は、図１及び図２に示す建物緑化構造体に対して、複数枚の緑化パネル体１を、建物の居室２との仕切壁面３に沿って外側に張り出した張出床部４の外側辺に設けられた落下防止柵５より上記居室２との仕切壁面３側に寄った位置で前後に隙間をあけて前後２列以上に配列して該仕切壁面３に平行に設け、前後２列以上の緑化パネル体１の何れかの列を固定し、それ以外の列の緑化パネル体１を前記仕切壁面３に平行にスライド可能とし、枠体６の外側に設けた動力源１６の駆動により該緑化パネル体１をスライドさせるようにしたものである。図５及び図６の例では、前後２列に合計４枚の緑化パネル体１を配列し、居室２との仕切壁面３に近い後列の緑化パネル体１ｂを固定とし、落下防止柵５に近い前列の緑化パネル体１ａをスライド可能としたものである。
【００３１】
後列の緑化パネル体１ｂは、図５に示すように、上階張出床部４ｂの下面に前後２列で設けられた下がり壁１２のうち後列の下がり壁１２ｂの下側に取り付けたハンガーレール２２ｂの上面に、緑化パネル体１ｂの枠体６の上部に設けた係止具２３を引っ掛け、上記枠体６の下部に設けた支持軸２４を下階張出床部４ａの上面に設置された後列側の下枠１３の孔又は溝に嵌合している。このような状態で、後列の緑化パネル体１ｂは、下がり壁１２ｂと下枠１３との間で、建物の居室２との仕切壁面３に略平行に固定されている。
【００３２】
一方、前列の緑化パネル体１ａは、図５及び図７に示すように、上階張出床部４ｂの下面に前後２列で設けられた下がり壁１２のうち前列の下がり壁１２ａの下側に取り付けたハンガーレール２２ａの上面に、緑化パネル体１ａの枠体６の上部に設けた吊車２５を回転可能に載せ、上記枠体６の下部に設けた支持軸２４を下階張出床部４ａの上面に設置された前列側のガイドレール２６の溝に嵌合している。このような状態で、前列の緑化パネル体１ａは、下がり壁１２ａとガイドレール２６との間で、建物の居室２との仕切壁面３に略平行にスライド可能とされている。
【００３３】
上記前列の緑化パネル体１ａの取り付け状態について、図７及び図８を参照して具体的に説明する。図７において、上記ハンガーレール２２ａの上面に載せられた吊車２５の回転軸端には吊車連結金具２７が一側方に突出され、この吊車連結金具２７の片面にスプロケット２８に巻き回されたチェーン２９の特定個所が固着されて、上記スプロケット２８が緑化パネル体１ａの枠体６の外側に設けた動力源１６により回転駆動されるようになっている。上記スプロケット２８は、図８に示すように、１枚の緑化パネル体１ａの横幅の例えば２倍以上の距離だけ離れて２個配置され、この２個のスプロケット２８，２８の間にチェーン２９が巻き回されて、上記緑化パネル体１ａの横幅の両端部に設けられた吊車連結金具２７が上記チェーン２９の特定個所に固着されている。なお、図７において符号２７ａは、上記吊車連結金具２７の下端部を枠体６の上部に固定する取付ボルトを示している。
【００３４】
このような取り付け状態により、図７に示す動力源１６を回転駆動することによりスプロケット２８及びチェーン２９が回転し、図８に矢印Ｃ，Ｄで示すように、ガイドレール２６に沿って前列の緑化パネル体１ａが居室２との仕切壁面３に略平行にスライド可能とされる。なお、上記ハンガーレール２２ａにおいて、緑化パネル体１ａが矢印Ｃ，Ｄ方向にスライドする領域の両端部にはリミットスイッチ３０，３０が設けられており、上記緑化パネル体１ａの枠体６の一部が該リミットスイッチ３０，３０に接触することで、緑化パネル体１ａが停止するようになっている。また、図７に示す動力源１６は、図８に示す２個のスプロケット２８，２８の少なくとも一方側に設けられていればよい。なお、図６において符号Ｅは、前列の緑化パネル体１ａのスライド範囲を示している。
【００３５】
上記前列の緑化パネル体１ａをスライドさせるには、例えば図６に示す居室２内の住人がスイッチ１６ｓをON操作することにより、図６に示すように今まで後列の緑化パネル体１ｂと重ならない位置に停止していた前列の緑化パネル体１ａを、矢印Ｃ又はＤ方向にスライドして後列の緑化パネル体１ｂに重なる位置まで移動させることができる。また、スイッチ１６ｓをOFF操作することにより、前列の緑化パネル体１ａをスライドさせて元の位置に戻すことができる。
【００３６】
上記のように、動力源１６のスイッチ１６ｓをON，OFF操作することにより、前列又は後列の緑化パネル体１をスライドさせることができるので、上記緑化パネル体１を張出床部４において前列及び後列の緑化パネル体１ａ，１ｂが重なる位置又は重ならない位置まで位置変更することで、張出床部４や居室２に対する太陽の日射調節を可能とすることができる。したがって、夏季においては、緑化パネル体１ａ，１ｂが重ならない位置として、緑化植物１０の蒸散作用により張出床部４の領域Ｂで冷えた空気を居室２内に流入させることができる。また、冬季においては、緑化パネル体１ａ，１ｂが重なる位置まで移動させて太陽光を取り入れ、太陽で暖められた空気を居室２内に取り込むことができる。
【００３７】
上記動力源１６の駆動により緑化パネル体１をスライドさせる作動パターンとしては、以下のようなものがある。
（５）スイッチ１６ｓのON，OFF操作により、前列又は後列の緑化パネル体を１枚ずつスライドさせる（一般の集合住宅向き）。
（６）スイッチ１６ｓのON，OFF操作により、前列又は後列の複数枚の緑化パネル体を同時に作動させる（一般の集合住宅又は業務用の事務所ビル向き）。
（７）スイッチ１６ｓのON，OFF操作により、建物のフロアー毎に前列又は後列の複数枚の緑化パネル体を同時に作動させる（業務用の事務所ビル向き）。
（８）スイッチ１６ｓのON，OFF操作により、全面に緑化パネル体が設置された建物の方位に応じて、南向き又は西向きなどの方位に合わせて全面の前列又は後列の緑化パネル体を同時に作動させる（業務用の事務所ビル向き）。
【００３８】
なお、図５及び図６においては、緑化パネル体１を前後２列に合計４枚配列したものとしたが、本発明はこれに限られず、前後３列又はそれ以上に配列し、前後３列又はそれ以上の緑化パネル体１の何れかの列を固定し、それ以外の列の緑化パネル体１を仕切壁面３に平行にスライド可能としてもよい。
【００３９】
図９は建物緑化システムの第１の実施形態を示す右側断面図であり、図１０は上記第１の実施形態の建物緑化システムを示す平面図である。この建物緑化システムは、例えばつる性植物等を利用して建築物の修景及び熱負荷の低減を図るもので、居室２との仕切壁面３に沿って外側に張り出した張出床部４の外側辺に上記仕切壁面３に対向して、一部に窓が備えられた外壁３１を設けてダブルスキン構造とされた建物において、緑化パネル体１を、上記外壁３１より居室２との仕切壁面３側に寄った位置にて該仕切壁面３に略平行に設け、上記緑化パネル体１の縦軸を中心にして該緑化パネル体１を所定角度まで位置変更可能とし、枠体６の外側に設けられた動力源１６の駆動により該緑化パネル体１を回動させるようにしたものである。
【００４０】
この実施形態は、図１及び図２に示す建物緑化構造体を、上述のダブルスキン構造とされた建物に設置したもので、上記仕切壁面３と外壁３１との間の空間に図１及び図２に示すと同様に構成された建物緑化構造体を設置して、仕切壁面３と外壁３１との間の空間にて閉じた緑化パネル体１の蒸散作用により冷えた空気（夏季）、又は緑化パネル体１を開放して太陽で暖められた空気（冬季）を居室２内に取り込むことができるシステムとしたものである。
【００４１】
また、図９及び図１０に示すように、上記仕切壁面３に対向して設けられた外壁３１には、上記張出床部４の内部と外壁３１の外部との間で空気を換気する換気手段として換気用ダンパー３２を備えてもよい。この換気用ダンパー３２は、特に張出床部４の領域Ａの空気を自然換気するもので、例えば通風調整弁を有するものなどである。上記換気用ダンパー３２は、図９に示すように、外壁３１の上部及び下部の両方に設けてもよいし、何れか一方に設けてもよい。また、図１０に示す平面図にて、張出床部４の両サイドに設けてもよいし、何れか一方に設けてもよい。なお、換気用ダンパー３２に限られず、換気扇等の給排気装置を用いてもよい。
【００４２】
この実施形態の建物緑化システムにおいて、上記動力源１６の駆動により緑化パネル体１を回動（位置変更）させる作動パターンとしては、前述の（１）〜（４）と同様であるので、説明は省略する。
【００４３】
なお、図９に示した矢印Ｆ，Ｇは、張出床部４を空気が上下に流通する構造（例えば格子状又はすのこ状など）とした場合に、上記張出床部４を空気が流通する状態を示したものである。この場合は、夏季においては、緑化パネル体１の蒸散作用により冷えた空気を上下階に流通させることができ、冬季においては、緑化パネル体１を開放して太陽で暖められた空気を上下階に流通させることができる。
【００４４】
図１１は建物緑化システムの第２の実施形態を示す右側断面図であり、図１２は上記第２の実施形態の建物緑化システムを示す平面図である。この建物緑化システムは、例えばつる性植物等を利用して建築物の修景及び熱負荷の低減を図るもので、居室２との仕切壁面３に沿って外側に張り出した張出床部４の外側辺に上記仕切壁面３に対向して、一部に窓が備えられた外壁３１を設けてダブルスキン構造とされた建物において、複数枚の緑化パネル体１を、上記外壁３１より居室２との仕切壁面３側に寄った位置で前後に隙間をあけて前後２列以上に配列して該仕切壁面３に平行に設け、前後２列以上の緑化パネル体１の何れかの列を固定し、それ以外の列の緑化パネル体１を前記仕切壁面３に平行にスライド可能とし、枠体６の外側に設けた動力源１６の駆動により該緑化パネル体１をスライドさせるようにしたものである。
【００４５】
この実施形態は、図５及び図６に示す建物緑化構造体を、上述のダブルスキン構造とされた建物に設置したもので、上記仕切壁面３と外壁３１との間の空間に図５及び図６に示すと同様に構成された建物緑化構造体を設置して、仕切壁面３と外壁３１との間の空間にて閉じた緑化パネル体１の蒸散作用により冷えた空気（夏季）、又は緑化パネル体１を開放して太陽で暖められた空気（冬季）を居室２内に取り込むことができるシステムとしたものである。
【００４６】
また、図１１及び図１２に示すように、上記仕切壁面３に対向して設けられた外壁３１には、上記張出床部４の内部と外壁３１の外部との間で空気を換気する換気手段として換気用ダンパー３２を備えてもよい。この換気用ダンパー３２は、上述した図９及び図１０に示すものと同様である。なお、換気用ダンパー３２に限られず、換気扇等の給排気装置を用いてもよい。
【００４７】
この実施形態の建物緑化システムにおいて、上記動力源１６の駆動により緑化パネル体１をスライドさせる作動パターンとしては、前述の（５）〜（８）と同様であるので、説明は省略する。
【００４８】
なお、図１１に示した矢印Ｆ，Ｇは、張出床部４を空気が上下に流通する構造（例えば格子状又はすのこ状など）とした場合に、上記張出床部４を空気が流通する状態を示したものである。この場合は、夏季においては、緑化パネル体１の蒸散作用により冷えた空気を上下階に流通させることができ、冬季においては、緑化パネル体１を開放して太陽で暖められた空気を上下階に流通させることができる。
【００４９】
なお、図１１及び図１２においては、緑化パネル体１を前後２列に合計４枚配列したものとしたが、本発明はこれに限られず、前後３列又はそれ以上に配列し、前後３列又はそれ以上の緑化パネル体１の何れかの列を固定し、それ以外の列の緑化パネル体１を仕切壁面３に平行にスライド可能としてもよい。
【符号の説明】
【００５０】
１，１ａ，１ｂ…緑化パネル体
２…居室
３…仕切壁面
４…張出床部
５…落下防止柵
６…枠体
７…メッシュ状支持部材
８…植栽容器
９…収納ボックス
１０…緑化植物
１１…支柱
１２，１２ａ，１２ｂ…下がり壁
１３…下枠
１４…駆動軸（吊下げボルト）
１５…支持回転軸
１６…動力源
１９…換気手段
２２ａ，２２ｂ…ハンガーレール
２４…支持軸
２５…吊車
２６…ガイドレール
２７…吊車連結金具
２８…スプロケット
２９…チェーン
３０…リミットスイッチ
３１…外壁
３２…換気用ダンパー
【図１】
0006489602.tif 000002
【図２】
0006489602.tif 000003
【図３】
0006489602.tif 000004
【図４】
0006489602.tif 000005
【図５】
0006489602.tif 000006
【図６】
0006489602.tif 000007
【図７】
0006489602.tif 000008
【図８】
0006489602.tif 000009
【図９】
0006489602.tif 000010
【図１０】
0006489602.tif 000011
【図１１】
0006489602.tif 000012
【図１２】
0006489602.tif 000013